(57)【要約】【課題】低コストで設備導入可能であり、短時間で搬送路を変更できて、電磁干渉を起こすことなく物流管理が可能なリライタブル電子リーフ、イメージライティング装置並びにこれらリライタブル電子リーフ及びイメージライティング装置を用いた物流搬送システムを提供する。【解決手段】リライタブル電子リーフ１０には電気泳動粒子５が混合された電気泳動分散液６に電荷を供給する電極部を配置せず、電気泳動粒子５が混合された電気泳動分散液６に電荷を供給する電極部（基板２２及びＴＦＴ２３）はイメージライティング装置３０側に配置する。搬送物１０１に設けられたリライタブル電子リーフ１０に、ＩＤ（個体識別番号）や搬送先等の情報が記憶されたバーコード等を表示させる。【選択図】図１
2009230054.tif 000002
【特許請求の範囲】
【請求項１】
透明部材からなる表示面部を有し、内部に空間が形成された外郭と、
前記空間に封入され、電荷が供給されることにより画像を形成して前記表示面部を介して視認可能に表示し、該画像を保持可能な表示媒体と、
を有し、
前記表示面部及び前記表示面部の反対面には、前記表示媒体に電荷を供給する電極部が配置されていないことを特徴とするリライタブル電子リーフ。
【請求項２】
透明部材からなる表示面部を有し、内部に空間が形成された外郭と、
前記空間に封入され、電荷が供給されることにより画像を形成して前記表示面部を介して視認可能に表示し、該画像を保持可能な表示媒体と、
を有し、
前記表示面部には、前記表示媒体に電荷を供給する電極部が配置されておらず、
前記表示面部の反対面に、共通電極が積層配置されたことを特徴とするリライタブル電子リーフ。
【請求項３】
前記表示面部は導電性であることを特徴とする請求項１又は請求項２に記載のリライタブル電子リーフ。
【請求項４】
請求項１〜３のいずれかに記載のリライタブル電子リーフに画像を表示させるため、
該表示媒体に電荷を供給する電極部を備えたことを特徴とするイメージライティング装置。
【請求項５】
前記電極部が設けられたイメージライタヘッドは、
３次元的に回動自在な間接部によって前記イメージライティング装置の先端部に接続されていることを特徴とする請求項４に記載のイメージライティング装置。
【請求項６】
請求項１〜請求項３のいずれかに記載のリライタブル電子リーフを搬送物に設け、
前記請求項４又は請求項５に記載のイメージライティング装置を用いて、前記搬送物の情報を前記リライタブル電子リーフに表示させることを特徴とする物流搬送システム。
【請求項７】
前記情報を前記リライタブル電子リーフに表示させる前に、
前記電極部から正電荷及び負電荷の一方を供給して、前記リライタブル電子リーフにおける前記電荷供給面と対向する範囲を単一色に表示させることを特徴とする請求項６に記載の物流搬送システム。
【請求項８】
請求項２に記載のリライタブル電子リーフを搬送物に設け、
前記共通電極から正電荷及び負電荷の一方を供給して、前記リライタブル電子リーフを単一色に表示させた後、
前記請求項４又は請求項５に記載のイメージライティング装置を用いて、前記搬送物の情報が記憶されたバーコードを前記リライタブル電子リーフに表示させることを特徴とする物流搬送システム。
【請求項９】
前記リライタル電子リーフの前記表示面は、
前記電極部の電荷供給面よりも大きいことを特徴とする請求項６〜請求項８のいずれかに記載の物流搬送システム。
【請求項１０】
請求項５又は請求項６に記載のイメージライティング装置を用いて、請求項１〜３のいずれかに記載のリライタブル電子リーフに画像を表示させる画像表示方法であって、
前記画像を前記リライタブル電子リーフに表示させる前に、
前記電極部から正電荷及び負電荷の一方を供給して、前記リライタブル電子リーフにおける前記電荷供給面と対向する範囲を単一色に表示させることを特徴とする画像表示方法。
【請求項１１】
請求項５又は請求項６に記載のイメージライティング装置を用いて、請求項２に記載のリライタブル電子リーフに画像を表示させる画像表示方法であって、
前記画像を前記リライタブル電子リーフに表示させる前に、
前記共通電極から正電荷及び負電荷の一方を供給して、前記リライタブル電子リーフを単一色に表示させることを特徴とする画像表示方法。
【発明の詳細な説明】
【技術分野】
【０００１】
本発明はリライタブル電子リーフ、イメージライティング装置、及びこれらリライタブル電子リーフ及びイメージライティング装置を用いた物流搬送システム、並びにこれらリライタブル電子リーフ及びイメージライティング装置を用いた画像表示方法に関するものである。
【背景技術】
【０００２】
近年、ＲＦＩＤ（Ｒａｄｉｏ  Ｆｒｉｑｕｅｎｃｙ  Ｉｄｅｎｔｉｆｉｃａｔｉｏｎ）を用いたシステムが物流管理や物流搬送システム等で利用されており、例えば、物流品にＲＦＩＤを貼付等し、このＲＦＩＤとユーザー等のリーダとが無線通信を行うことにより、ユーザー等が物流品の現在位置等の情報を入手できるシステムがある。このようなものとして、例えば「本発明は、物流拠点において品目コードを付与し、付与後の配送伝票を貼付した物流品を搬送車両が各物流拠点を回って集荷し、集荷した該物流品を目的地に搬送し、搬送する該物流品の搬送状況を管理する物流管理センタの物品管理サーバにおける物流管理方法において、各物流拠点が取り扱って送信した物流品の品目コードが埋め込まれたＩＰアドレスに対応付けられたデータを無線通信網により受信し、受信したＩＰアドレスに対応付けられたデータをＩＰアドレス／品目コードデータベースに格納し、ユーザ端末または、オペレータ端末から品目コードを受信し、受信した品目コードに基づいてＩＰアドレス／品目コードデータベースを検索して該品目コードに対応する物流品のＩＰアドレスを取得して、該ＩＰアドレスを物品情報取得要求として無線通信網に送信し、物品情報取得要求に対応する物品情報を取得して、ユーザ端末または、オペレータ端末に送信する。」というものが提案されている（例えば、特許文献１参照）。
【０００３】
【特許文献１】特開２００４−１８２３８号公報（段落００１１、図１）
【発明の開示】
【発明が解決しようとする課題】
【０００４】
しかしながら、ＲＦＩＤを用いたシステムにより物流管理を行う場合、設備導入の際のコストが高いという問題があった。また、搬送路が停止等によって使用できなくなったとき、ＲＦＩＤのＩＤ（個体識別番号）が固定となっているために、短時間で搬送路を変更できないという問題点があった。また、ＲＦＩＤ−リーダー間の無線通信がノイズや他のＲＦＩＤ−リーダー間の無線通信等との間で電磁干渉を起こし、物流管理がうまく出来ないという問題点があった。このため、ＲＦＩＤを用いたシステムを物流管理に適用することが困難となっている。
【０００５】
本発明は上述のいずれかの問題を解決するためになされたものであり、第１の目的は、低コストで設備導入可能なリライタブル電子リーフ、イメージライティング装置、及びこれらリライタブル電子リーフ及びイメージライティング装置を用いた物流搬送システム、並びにこれらリライタブル電子リーフ及びイメージライティング装置を用いた画像表示方法を得ることである。また、第２の目的は、搬送路が停止等した場合でも、短時間で搬送路を変更できるリライタブル電子リーフ、イメージライティング装置、及びこれらリライタブル電子リーフ及びイメージライティング装置を用いた物流搬送システム、並びにこれらリライタブル電子リーフ及びイメージライティング装置を用いた画像表示方法を得ることである。また、第３の目的は、電磁干渉を起こすことなく物流管理が可能なリライタブル電子リーフ、イメージライティング装置、及びこれらリライタブル電子リーフ及びイメージライティング装置を用いた物流搬送システム、並びにこれらリライタブル電子リーフ及びイメージライティング装置を用いた画像表示方法を得ることである。
【課題を解決するための手段】
【０００６】
本発明に係るリライタブル電子リーフは、透明部材からなる表示面部を有し、内部に空間が形成された外郭と、空間に封入され、電荷が供給されることにより画像を形成して表示面部を介して視認可能に表示し、画像を保持可能な表示媒体と、を有し、表示面部及び表示面部の反対面には、表示媒体に電荷を供給する電極部が配置されていないものである。
【０００７】
また、本発明に係るイメージライティング装置は、上記のリライタブル電子リーフに画像を表示させるため、リライタブル電子リーフの表示媒体に電荷を供給する電極部を備えたものである。
【０００８】
また、本発明に係る物流搬送システムは、上記のリライタブル電子リーフを搬送物に設け、上記のイメージライティング装置を用いて、搬送物の情報が記憶されたバーコードをリライタブル電子リーフに表示させるものである。
【発明の効果】
【０００９】
本発明に係るリライタブル電子リーフは、表示媒体に電荷を供給する電極部が配置されておらず、本発明に係るイメージライティング装置側に表示媒体に電荷を供給する電極部が配置されているので、低廉なリライタブル電子リーフを得ることができ、低コストで物流搬送システムの設備導入が可能となる。
【００１０】
また、本発明に係る物流搬送システムは、上記のリライタブル電子リーフを搬送物に設け、上記のイメージライティング装置を用いて、搬送路ごとに、搬送物の情報（例えばバーコード等）をリライタブル電子リーフに表示させることができる。このため、搬送路が停止等によって使用できなくなったときでも、上記のイメージライティング装置と既存のイメージリーディング装置を新たな搬送路に設け、この搬送路に対応させて搬送物の情報（ＩＤ（個体識別番号）や、搬送先等）を容易に書き換えることができる。したがって搬送路が停止等した場合でも、短時間で搬送路を変更できる。
【００１１】
また、本発明に係る物流搬送システムは、搬送物の情報（例えばバーコード等）を光学的に検知するので、電磁干渉を起こすことなく物流管理が可能となる。
【発明を実施するための最良の形態】
【００１２】
実施の形態．
図１は、本発明の一実施の形態に係るリライタブル電子リーフ及びイメージライタヘッドの一例を示す断面模式図である。
リライタブル電子リーフ１０は、例えば透明な導電膜である表示面部２と背面部３とを所定の間隔をもって対向配置し、側面部４が例えば樹脂等で封止された、薄い平板形状をしている。このリライタブル電子リーフ１０の内部には空隙１ａが形成されており、空隙１ａには、電気泳動粒子５が混合された電気泳動分散液６が封入されている。電気泳動粒子５は例えばマイナス極性に帯電した青色粒子であり、電気泳動分散液６は例えば白色の液体である。また、電気泳動分散液６は、イメージライタヘッド２１から電荷を供給されていない状態では、電気泳動粒子５を移動させずに保持する。つまり、電気泳動分散液６は、メモリ性（表示保持性）を有するものである。
【００１３】
なお、電気泳動粒子５に換えて、例えばマイナス極性に帯磁した磁気泳動粒子を用いてもよい。また、電気泳動粒子５及び電気泳動分散液６は上記の青色及び白色に限らず、例えば、電気泳動粒子５が白色で、電気泳動分散液６が青色でもよい。つまり、電気泳動粒子５の色と電気泳動分散液６の色が識別可能であれば、画像を表示することができる。
【００１４】
イメージライタヘッド２１には基板２２が設けられており、この基板２２の表面にはドットマトリックス状にＴＦＴ（Ｔｈｉｎ  Ｆｉｌｍ  Ｔｒａｓｉｓｔｏｒ）２３が配置されている。この基板２２及びＴＦＴ２３が本発明の電極部に相当し、基板２２におけるＴＦＴ２３が配置された側の面が本発明の電荷供給面に相当する。リライタブル電子リーフ１０の表示面部２に画像を表示させるため、この画像に対応した範囲のＴＦＴ２３の電位を表示用ドライバ２４（図４に示す）によって制御する。そして、電気泳動粒子５が混合された電気泳動分散液６に電荷を供給することにより、表示面部２又は背面部３に電気泳動粒子５を移動させて画像を形成し、リライタブル電子リーフ１０の表示面部２を介して画像を視認可能に表示する。
【００１５】
ここで、リライタブル電子リーフ１０との比較のため、図２に、従来の電子ペーパの一例を示す。
電子ペーパ２１０は、例えば透明な導電膜である表示面部２０２と背面部２０３とを所定の間隔をもって対向配置し、側面部２０４が例えば樹脂等で封止された、薄い平板形状をしている。この電子ペーパ２１０の内部には空隙２０１ａが形成されており、空隙２０１ａには、電気泳動粒子２０５が混合された電気泳動分散液２０６が封入されている。また、電子ペーパ２１０には、ドットマトリックス状にＴＦＴ２２３が配置された基板２２２が、背面部２０２に積層配置されている。表示用ドライバー（図示せず）によってＴＦＴ２２３を介して電気泳動分散液２０６に電荷を供給することにより、表示面部２０２又は背面部２０３に電気泳動粒子２０５を移動させ、表示面部２０２に画像を表示する。
【００１６】
上述のように、従来の電子ペーパ２１０と異なり、本実施の形態のリライタブル電子リーフ１０では、ドットマトリックス状にＴＦＴ２３が配置された基板２２は、イメージライタヘッド２１側に設けられている。対象物（例えば物流品等）に貼付等が必要なリライタブル電子リーフ１０側でなく、イメージライタヘッド２１側に基板２２を設けることにより、リライタブル電子リーフ１０の低廉化を実現している。
【００１７】
図３は、本発明の一実施の形態に係る物流搬送システムの一例である。また、図４は、この物流搬送システムのイメージライティング装置を示す要部拡大図である。
搬送システム１００は、リライタブル電子リーフ１０が貼付された搬送物１０１を区分け等するための搬送システムであり、搬送路Ａ１〜Ａ３、搬送物位置出し装置４０、イメージライティング装置２０、イメージリーディング装置３０、搬送路切替部５０、及びコントローラ６０等から構成されている。
【００１８】
搬送路Ａ１の搬送物流れ方向上流側（図３における左側）には搬送物位置出し装置４０が設けられており、搬送物位置出し装置４０は、搬送物１０１におけるリライタブル電子リーフ１０の貼付面が所定の方向となるように調整する。この搬送物位置出し装置４０の下流側にはイメージライティング装置２０が設けられている。このイメージライティング装置２０は、搬送物１０１に貼付されたリライタブル電子リーフ１０に、搬送物１０１の情報（ＩＤ（個体識別番号）や搬送先等）が記憶されたバーコードを表示させる。
【００１９】
図４に示すように、イメージライティング装置２０は、イメージライタヘッド２１とアーム部２５等から構成されている。イメージライティング装置２０の先端部には、イメージライタヘッド２１が設けられており、端面部２１ａには、外部側表面にドットマトリックス状にＴＦＴ２３が配置された基板２２が設けられている。また、イメージライタヘッド２１には、ＴＦＴ２３の電位を制御する表示用ドライバ２４が内蔵されている。
【００２０】
アーム部２５のイメージライタヘッド２１側の端部には、先端に略球形状のボール部２６ａを有する連結バー２６が設けられている。一方、イメージライタヘッド２１における端面部２１ａの反対側端部には、内面形状の一部がボール部２６ａと対応した保持部２１ｂが形成されている。この保持部２１ｂ及び連結バー２６が本発明の間接部に相当し、保持部２１ｂがボール部２６ａを包み込むようにして、イメージライタヘッド２１とアーム部２５とは、３次元的に回動自在に接続されている。また、イメージライティング装置２０には電源・信号ケーブル２７が設けられており、一方の端部がイメージライタヘッド２１内に設けられた表示用ドライバ２４に接続され、他方の端部がコントローラ６０に接続されている。この電源・信号ケーブル２７を介して、表示用ドライバ２４がＴＦＴ２３の電位を制御する。
【００２１】
再び図３に注目すると、イメージライティング装置２０の下流側にはイメージリーディング装置３０が設けられている。このイメージリーディング装置３０は、従来よりあるバーコード読み取り装置を利用することができる。また、イメージリーディング装置３０の下流側にある分岐部には、搬送路Ａ１から搬送されてきた搬送物１０１を搬送路Ａ２又は搬送路Ａ３に振り分ける搬送路切替部５０が設けられている。
【００２２】
なお、本実施の形態では、搬送路Ａ１から搬送されてきた搬送物を２つの搬送路に振り分けたが、これはあくまでも一例であり、種々の搬送路切替装置によって、任意の数の搬送先に搬送物１０１を区分けすることが可能である。
【００２３】
次に、本発明の一実施の形態に係る搬送システム１００の搬送物区分け動作について説明する。
リタイタブル電子リーフ１０の背面部３側が一側面に例えば貼付された搬送物１０１は、搬送路Ａ１上を搬送され、搬送物位置出し装置４０を通過するときに、リライタブル電子リーフ１０の貼付面が所定の方向となるように調整される。その後、例えばイメージセンサ等の位置検出手段（図示せず）によって、搬送物１０１がイメージライトエリアＡ１１に到達したか否かを検知する。
【００２４】
搬送物１０１がイメージライトエリアＡ１１に到達すると、イメージライト部２０が作動して、イメージライタヘッド２１内に設けられた基板２２（ＴＦＴ２３）を、搬送物１０１の側面に貼付されたリライタブル電子リーフ１０の表示面部２に密着させる。そして、コントローラ６０の指令により、ＩＤ（個体識別番号）や搬送先等の情報が記憶されたバーコード１１を、リライタブル電子リーフ１０の表示面部２に表示させる。なお、搬送先は、例えば、コントローラ６０に伝送されてきた前工程での検査結果等（例えば搬送物１０１に梱包された商品の故障の有無等の検査結果）により決定される。また、バーコード１１とあわせて、搬送物１０１の中身や取り扱い方法等の情報が作業者にわかるように、キャラクタ（例えば文字や記号等）をリライタブル電子リーフ１０の表示面部２に表示させてもよい。このようにすることで、作業員の作業ミスを軽減させることができる。なお、表示面部２へのバーコード１１等の表示動作については後述する。
【００２５】
このとき、イメージライタヘッド２１とアーム部２５とは３次元的に回動自在に接続されているので、搬送物１０１のリタイタブル電子リーフ１０貼付面が多少傾いていても、基板２２（ＴＦＴ２３）をリタイタブル電子リーフ１０の表示面部２に密着させることができる。このため、リライタブル電子リーフ１０の表示面部２に確実にバーコード１１やキャラクタを表示させることができる。また、搬送物１０１の側面の正確な位置にリライタブル電子リーフ１０を貼付することは困難なので、図５に示すように、実際の表示範囲（表示面部２と基板２２に配置されたＴＦＴ２３とが対向する範囲）よりも大きなリライタブル電子リーフ１０を搬送物１０１に貼付してもよい。これにより、リライタブル電子リーフ１０の貼付位置がある程度ずれた場合でも、リライタブル電子リーフ１０の表示面部２に確実にバーコード１１やキャラクタを表示させることができる。
【００２６】
リライタブル電子リーフ１０の表示面部２にバーコード１１等が表示された搬送物１０１は、再び搬送路Ａ１上を搬送される。そして、例えばイメージセンサ等の位置検出手段（図示せず）によって、搬送物１０１がイメージリードエリアＡ１２に到達したか否かを検知する。搬送物１０１がイメージリードエリアＡ１２に到達すると、イメージリーディング装置３０はバーコード１１を読み取り、バーコード１１に記憶された情報をコントローラ６０に伝送する。コントローラ６０は、イメージリーディング装置３０から伝送された情報に基づき、搬送物１０１が所定の搬送先（図３においては搬送路Ａ２）に搬送されるように、搬送路切替部５０を操作する。
【００２７】
続いて、リライタブル電子リーフ１０へのバーコード１１等の表示動作の一例について説明する。
図６は、本発明の一実施の形態に係るリライタブル電子リーフへの表示動作の一例を示す断面模式図である。
まず、図６（ａ）に示すように、表示範囲（表示面部２と基板２２に配置されたＴＦＴ２３とが対向する範囲）全域にマイナスの電荷を供給し、表示範囲全域を白色にする（電気泳動粒子５を背面部３側に移動させる）。その後、バーコード１１等を表示させたい範囲にプラスの電荷を供給し、リライタブル電子リーフ１０にバーコード等を表示させる（電気泳動粒子５を表示面部２側に移動させる）。表示範囲全域を一端白色にすることにより、バーコード１１等を鮮明に表示することができる。
【００２８】
なお、本実施の形態では、リライタブル電子リーフ１０の表示面部２及び背面部３の両面部ともに電極基板が設けられていないが、背面部３に電極基板を設けてもよい。
図７は、本発明の一実施の形態に係るリライタブル電子リーフ及びイメージライタヘッドの別の一例を示す断面模式図である。
このリライタブル電子リーフ１０には、電極基板７が背面部３に積層配置されている。この電極基板７が、本発明の共通電極に相当する。
【００２９】
まず、図７（ａ）に示すように、電極基板７からプラスの電荷を供給し、表示範囲全域を白色にする（電気泳動粒子５を背面部３側に移動させる）。その後、バーコード１１等を表示させたい範囲に、ＴＦＴ２３からプラスの電荷を供給し、リライタブル電子リーフ１０にバーコード等を表示させる（電気泳動粒子５を表示面部２側に移動させる）。表示範囲全域を一端白色にすることにより、バーコード１１等を鮮明に表示することができる。
このように、リライタブル電子リーフ１０の背面部３に電極基板７を積層配置することによって、搬送物がイメージライトエリアＡ１１に到達する前にリライタブル電子リーフ１０の表示範囲を白色にできるので、イメージライトエリアＡ１１でのバーコード１１等の表示動作を高速化することができる。また、従来の電子ペーパ２１０と異なり、表示面部２側でなく、イメージライタヘッド２１側に基板２２を設けることにより、リライタブル電子リーフ１０の低廉化が可能である。
【００３０】
また、本実施の形態では、表示媒体として、電気泳動粒子５が混合された電気泳動分散液６を、リライタブル電子リーフ１０の空隙１ａに封入したが、他の表示媒体を空隙１ａに封入してもよい。
例えば、図８に示すように、略球形状の透明なマイクロカプセル３００内に電気泳動粒子５が混合された電気泳動分散液６を充填し、このマイクロカプセル３００を表示媒体としてリライタブル電子リーフ１０の空隙１ａに封入しても、本発明を実施することができる。
【００３１】
また、例えば、図９に示すように、リライタブル電子リーフ１０の空隙１ａにバインダ４００となるシリコン樹脂等を封入して、このバインダ４００に２色粒子４０１を回動可能に埋入し、表示媒体としてもよい。黒色半球部分４０１ａが例えば正電荷に帯電し、白色半球部分４０１ｂが例えば負電荷に帯電していれば、本発明を実施することができる。
【００３２】
また、例えば、図１０に示すように、表示媒体として、例えば正電荷に帯電した黒色トナー５００と、例えばフッ化炭素等のような潤滑性のよい白色粒子５０１をリライタブル電子リーフ１０の空隙１ａに封入しても、本発明を実施することができる。
【００３３】
また、例えば、表示媒体として、例えば、コステリック液晶をリライタブル電子リーフ１０の空隙１ａに封入しても、本発明を実施することができる。
つまり、電荷を供給することによりバーコード１１等を表示でき、その表示を保持できる表示媒体（メモリ性を有する表示媒体）であれば、本発明を実施することができる。
【００３４】
このように構成された搬送システム１００においては、リライタブル電子リーフ１０には電気泳動粒子５が混合された電気泳動分散液６に電荷を供給する電極部が配置されておらず、電気泳動粒子５が混合された電気泳動分散液６に電荷を供給する電極部（基板２２及びＴＦＴ２３）はイメージライティング装置３０側に配置されている。また、イメージリーディング装置３０は既存のものでよい。したがって、低コストで物流搬送システムの設備導入が可能となる。
【００３５】
また、搬送路Ａ１〜Ａ３が停止等によって使用できなくなったときでも、イメージライティング装置２０と既存のイメージリーディング装置３０を新たな搬送路に設け、この搬送路に対応させてバーコード１１等を容易に書き換えることができる。したがって搬送路が停止等した場合でも、短時間で搬送路を変更できる。
【００３６】
また、バーコード１１等を光学的に検知するので、電磁干渉を起こすことなく物流管理が可能となる。
【００３７】
このような搬送システム１００により、物流管理・物流搬送システムに大きなブレークスルーをもたらすことが可能である。
【００３８】
なお、搬送システム１００は、例えば工場内での搬送物の配送、郵便物の配達先ごとの区分け、空港等のバック搬送システム等に有効なものである。
【図面の簡単な説明】
【００３９】
【図１】本発明の一実施の形態に係るリライタブル電子リーフ及びイメージライタヘッドの一例を示す断面模式図である。
【図２】従来の電子ペーパの一例である。
【図３】本発明の一実施の形態に係る物流搬送システムの一例である。
【図４】図３における物流搬送システムのイメージライタ部を示す要部拡大図である。
【図５】搬送物へのリライタブル電子リーフの貼付方法の一例である。
【図６】本発明の一実施の形態に係るリライタブル電子リーフへの表示動作の一例を示す断面模式図である。
【図７】本発明の一実施の形態に係るリライタブル電子リーフ及びイメージライタヘッドの別の一例を示す断面模式図である。
【図８】本発明の一実施の形態に係るリライタブル電子リーフの別の一例を示す断面模式図である。
【図９】本発明の一実施の形態に係るリライタブル電子リーフの別の一例を示す断面模式図である。
【図１０】本発明の一実施の形態に係るリライタブル電子リーフの別の一例を示す断面模式図である。
【符号の説明】
【００４０】
１  外郭、１ａ  空隙、２  表示面部、３  背面部、４  側面部、５  電気泳動粒子、６  電気泳動分散液、７  電極基板、１０  リライタブル電子リーフ、１１  バーコード、２０  イメージライティング装置、２１  イメージライタヘッド、２２  基板、２３  ＴＦＴ、２４  表示用ドライバ、２５  アーム部、２６  連結バー、２６ａ  ボール部、２７  電源・信号ケーブル、３０  イメージリーディング装置、４０  搬送物位置出し装置、５０  搬送路切替部、６０  コントローラ、１００  搬送システム、１０１  搬送物、２０１  外郭、２０１ａ  空隙、２０２  表示面部、２０３  背面部、２０４  側面部、２０５  電気泳動粒子、２０６  電気泳動分散液、２１０  電子ペーパ、２２２  基板、２２３  ＴＦＴ、３００  マイクロカプセル、４００  バインダ、４０１  ２色粒子、４０１ａ  黒色半球部分、４０１ｂ  白色半球部分、５００  黒色トナー、５０１  白色粒子、Ａ１〜Ａ３  搬送路、Ａ１１  イメージライトエリア、Ａ１２  イメージリードエリア。
【図１】
2009230054.tif 000003
【図２】
2009230054.tif 000004
【図３】
2009230054.tif 000005
【図４】
2009230054.tif 000006
【図５】
2009230054.tif 000007
【図６】
2009230054.tif 000008
【図７】
2009230054.tif 000009
【図８】
2009230054.tif 000010
【図９】
2009230054.tif 000011
【図１０】
2009230054.tif 000012